(57)【要約】【課題】液晶プロジェクターなどのプロジェクターの画像投射時の姿勢を、簡単・容易に調整可能とすること。【解決手段】プロジェクターの本体ケースの少なくとも一部を覆う保護カバー付きのプロジェクターにおいて、プロジェクターとして使用する際には、保護カバーを、本体ケースを載置する載置台として使用することが可能なようにし、載置台としての保護カバーに本体ケースを載置した際に、本体ケースの傾動変位および水平回転変位が可能なように、構成する。【選択図】　　　図５
2004109359.tif 000002
【特許請求の範囲】
【請求項１】
プロジェクターの本体ケースの少なくとも一部を覆う保護カバー付きのプロジェクターであって、
プロジェクターとして使用する際には、前記保護カバーを、前記本体ケースを載置する載置台として使用することが可能なように構成し、
載置台としての前記保護カバーに前記本体ケースを載置した際に、前記本体ケースの傾動変位および水平回転変位を可能にしたことを特徴とする保護カバー付きプロジェクター。
【請求項２】
プロジェクターの本体ケースの少なくとも一部を覆う保護カバー付きのプロジェクターであって、
プロジェクターとして使用する際には、前記保護カバーを、前記本体ケースを載置する載置台として使用することが可能なように構成し、
前記保護カバーには、円形の透穴からなる支承部、または断面弧状の凹部からなる支承部、または筒状の凹部からなる支承部、または所定の円周上に配置された３個以上の保持突起からなる支承部を設け、
前記本体ケースの底面には、前記保護カバーの前記支承部に当接保持される断面弧状の凸部からなる被支承部を設け、
載置台としての前記保護カバーに前記本体ケースを載置した際には、前記本体ケースの底面の前記被支承部は、前記保護カバーの前記支承部によって、前記本体ケースを傾動変位および水平回転変位させることが可能であるように、保持されるようにしたことを特徴とする保護カバー付きプロジェクター。
【請求項３】
プロジェクターの本体ケースの少なくとも一部を覆う保護カバー付きのプロジェクターであって、
プロジェクターとして使用する際には、前記保護カバーを、前記本体ケースを載置する載置台として使用することが可能なように構成し、
前記保護カバーには、断面弧状の凸部からなる支承部を設け、
前記本体ケースの底面には、前記保護カバーの前記支承部に当接保持される、断面弧状の凹部からなる被支承部、または筒状の凹部からなる被支承部、または所定の円周上に配置された３個以上の保持突起からなる被支承部、または円形の透穴からなる被支承部を設け、
載置台としての前記保護カバーに前記本体ケースを載置した際には、前記本体ケースの底面の前記被支承部は、前記保護カバーの前記支承部によって、前記本体ケースを傾動変位および水平回転変位させることが可能であるように、保持されるようにしたことを特徴とする保護カバー付きプロジェクター。
【請求項４】
請求項１ないし３の何れか１項に記載において、
前記保護カバーは折り畳み可能に構成され、載置台として機能する際の前記保護カバーの高さが可変できるようにしたことを特徴とする保護カバー付きプロジェクター。
【請求項５】
請求項１ないし３の何れか１項に記載において、
前記保護カバーは組み立て／分離可能に構成され、組み立てられた際に前記載置台として用いられるようにしたことを特徴とする保護カバー付きプロジェクター。
【請求項６】
請求項２記載において、
前記本体ケースの断面弧状の凸部からなる前記被支承部内には、冷却ファンが配設されたことを特徴とする保護カバー付きプロジェクター。
【請求項７】
請求項３記載において、
前記保護カバーが前記本体ケースを覆った状態では、前記保護カバーの断面弧状の凸部からなる前記支承部内には、小物が収納可能であるようにしたことを特徴とする保護カバー付きプロジェクター。
【発明の詳細な説明】
【０００１】
【発明の属する技術分野】
本発明は、保護カバー付きプロジェクターに係り、特に、プロジェクターとして使用する際には、保護カバーを、プロジェクターの本体ケースを載置する載置台として使用可能にした、保護カバー付きプロジェクターに関するものである。
【０００２】
【従来の技術】
液晶プロジェクターなどのプロジェクターにおいては、プロジェクターの底面側に設けた各支持脚の高さを個別に調整することにより、機器の姿勢を調整できるようになっている。
【０００３】
図２１は、従来の液晶プロジェクターを示す図で、同図において、１０１は液晶プロジェクターの本体ケース、１０２は、本体ケース１０１の底面の４隅に配設された支持脚であり、図示しないボタンを押すことにより支持脚１０２が突出し、この支持脚１０２を適当な高さで固定するで必要な角度を保持するようになっている。そして、液晶プロジェクター（本体ケース１０１）の姿勢を調整する際には、支持脚１０２の摘み兼台座部１０２ａを回転させて、各支持脚１０２の突出長さを適宜に調整することにより、上下方向の傾きや左右方向の傾きなどを、所望のものに調整できるようになっている。
【０００４】
なお、この他に、プロジェクターの高さ、仰角、左右方向の傾きを調整する手段として、底面の前部中央に出没可能な出没脚と、底面の後部両端側にネジ式当り部とを、設けた構成も知られている（特許文献１参照）。
【０００５】
【特許文献１】
特開平９−５４３７０号公報
【０００６】
【発明が解決しようとする課題】
しかしながら、図２１に示した従来構成においては、液晶プロジェクターの姿勢を調整するために、各支持脚１０２のネジ込み度合いを個別に調整する必要がある上、支持脚１０２の突出長さの調整に際して、液晶プロジェクターの一部を手で支えるなどして浮かす必要があり、姿勢調整の作業が煩わしく、かつ、時間のかかるものとなっていた。
【０００７】
本発明は上記の点に鑑みなされたもので、その目的とするところは、液晶プロジェクターなどのプロジェクターの画像投射時の姿勢を、簡単・容易に調整可能とすることにある。
【０００８】
【課題を解決するための手段】
上記した目的を達成するため、本発明は、プロジェクターの本体ケースの少なくとも一部を覆う保護カバー付きのプロジェクターにおいて、プロジェクターとして使用する際には、保護カバーを、本体ケースを載置する載置台として使用することが可能なようにし、載置台としての保護カバーに本体ケースを載置した際に、本体ケースの傾動変位および水平回転変位が可能なように、構成する。
【０００９】
【発明の実施の形態】
以下、本発明の実施の形態を、図面を用いて説明する。
【００１０】
図１〜図９は、本発明の第１実施形態による保護カバー付きの液晶プロジェクターに係り、図１は、液晶プロジェクターと保護カバーの斜視図、図２は、保護カバーによって液晶プロジェクター（本体ケース）を覆った収納状態における断面図、図３は、折り畳んだ保護カバーを載置台として該載置台上に液晶プロジェクター（本体ケース）を載置した状態の斜視図、図４は、折り畳んだ保護カバーを載置台として該載置台上に液晶プロジェクター（本体ケース）を載置した状態の断面図、図５は、図４の状態から液晶プロジェクター（本体ケース）の姿勢を調整した際の様子を示す断面図、図６は、折り畳まない保護カバーを載置台として該載置台上に液晶プロジェクター（本体ケース）を載置した状態の斜視図、図７は、折り畳まない保護カバーを載置台として該載置台上に液晶プロジェクター（本体ケース）を載置した状態の断面図、図８は、液晶プロジェクターの内部構成を示す断面図、図９は、液晶プロジェクターの内部構成の概要を示す上面から見た説明図である。なお、図２、図４、図５、図７において、液晶プロジェクターの内部構成は割愛してある（これは、以下の各実施形態の液晶プロジェクターの断面図においても同様である）。
【００１１】
図１の（ａ）は、液晶プロジェクターを斜め上方から見下ろした斜視図であり、図１の（ａ）において、１は液晶プロジェクターの本体ケース、２は投影レンズ、３は通気孔である。また、図１の（ｂ）は、保護カバーを斜め下方から見上げた斜視図であり、図１の（ｂ）において、１１は保護カバーであり、この保護カバー１１は、水平板１２と側板１３とから構成されている。１４は、側板１３を水平板１２に対して回転可能に保持したヒンジ部、１５は水平板１２の中央に穿設した円形の透穴（支承部としての円形の透穴）、１６は水平板１２の４隅に突設した脚部である。また、図１においては示されていないが、本体ケース１の底面の中央には、図２などに示すように、水平板１２の透穴１５にその一部が嵌り込むことが可能な断面弧状の凸部（被支承部としての断面弧状の凸部）４が設けられている。
【００１２】
本実施形態においては、側板１３は、水平板１２に対して垂直に起立した状態（図１、２、６、７に示した折り畳まれていない状態）と、水平板１２と平行な状態（図３〜５に示した折り畳まれた状態）とを、とり得るようになっている。そして、必要に応じて、上記の２つの状態を維持できるように、ヒンジ部１４には、簡易な節度機構（例えば、バネとこのバネの突起が嵌る位置決め穴とをもつメカニズム）あるいは反転バネ（側板１３が垂直な状態と水平な状態とで安定点をとり、この両状態の間でデッドポイントをもつ反転バネ）などによる位置決め機構が付設されている。
【００１３】
図２は、液晶プロジェクターの収納状態を示しており、この状態では、保護カバー１１の側板１３は水平板１２に対して垂直に起立していて、保護カバー１１の水平板１２の脚部１６が、机上や棚上などの載置面５に当接している。そして、液晶プロジェクターの本体ケース１は、投影レンズ２などを設けた前面と、各種接続部などを設けた背面と、凸部４を設けた底面とを、保護カバー１１によって覆われている。なお、このとき、本体ケース１の凸部４の一部は、保護カバー１１の水平板１２の透穴１５に嵌っている。
【００１４】
本発明では、液晶プロジェクターとして使用する際には、保護カバーを本体ケースを載置する載置台として利用可能なようにしており、本実施形態では、側板１３が水平板１２に対して垂直に起立した状態（側板１３が折り畳まれていない状態）と、側板１３が水平板１２と平行な状態（側板１３が折り畳まれた状態）の何れにおいても、保護カバー１１を載置台として用いることができるようになっている。側板１３が折り畳まれた状態では、側板１３の面全体が載置面５に当接するようにして、側板１３の上側に位置する水平板１２の透穴１５に、本体ケース１の底面の凸部４が嵌るように、水平板１２上に本体ケース１を載置する（図３〜５）。また、側板１３が折り畳まれていない状態では、側板１３の自由端の端面が載置面５に当接するようにして、図２とは逆に上側に位置する水平板１２の透穴１５に、本体ケース１の底面の凸部４が嵌るように、水平板１２上に本体ケース１を載置する（図６、７）。
【００１５】
そして、保護カバー１１を載置台とした場合には、側板１３が折り畳まれた状態、折り畳まれていない状態の何れにおいても、保護カバー１１上に載置された本体ケース１は、その底面の凸部４の一部が保護カバー１１の透穴１５に嵌っているので、本体ケース１をユーザが自由に傾動させることや水平方向に回転させることが可能となっている。したがって、本体ケース１（液晶プロジェクター）の姿勢を、一挙動でユーザの望む姿勢に簡単・容易に調整することが可能となる。また、調整後に手を離せば、凸部４と透穴１５の縁との摩擦係合力により、本体ケース１（液晶プロジェクター）は調整された姿勢を保持する。
【００１６】
このように、本実施形態では、液晶プロジェクターの保護カバーを有効に使用して、本体ケース１を、前後方向や左右方向（図３、６の矢印Ａ、Ｂ方向参照）に傾動、あるいは、前後方向と左右方向を複合させた方向に傾動させることや、水平方向に回転（図３、６の矢印Ｃ方向参照）させることを可能にしており、したがって、傾いたスクリーンに対しても正対した姿勢で画像が投影可能となり、また、傾いていないスクリーンに対しても意図的に傾けた状態の画像が投影可能となる。さらに、傾きや凹凸のある載置面に保護ケース１１を置いても、液晶プロジェクターをスクリーンに正対させることが可能となる。さらに、本実施形態では、保護カバー１１を折り畳んだ状態でも、折り畳まない状態でも載置台として用いることができるので、液晶プロジェクター全体の高さを調整することも可能となる。
【００１７】
なお、図８、９の本体ケース１（液晶プロジェクター）の内部構成を示す図において、２１はランプ部、２２は、ミラー等を含む光路系や、液晶素子、プリズム等をもつ画像生成系などからなる光路＆画像生成部、２は前記した投影レンズ、２４は光学系制御のためのバラスト基板、２５は液晶プロジェクター全体の制御を行うための制御基板、２６〜２９は冷却ファンである。本実施形態では、冷却ファン２９は、前記凸部４内に配設されたシロッコファンとしており、このように構成することで、本体ケース１の凸部４内の有効利用が図れ、しかも、本体ケース１の底面における表面積の増大（放熱面の増大）と放熱面の増大を図った部位での冷却ファンによる効率のよい放熱とが行える。なおここで、図８、９の内部構成はほんの一例であり、液晶プロジェクターの内部構成は種々の変形が可能であることは言うまでもない。
【００１８】
ここで、上述した第１実施形態では、本体ケース１の被支承部を断面弧状の凸部４とし、保護カバー１１の支承部を円形の透穴１５としたが、本体ケース１の被支承部を断面弧状の凸部４とした場合には、保護カバー１１の支承部は、図１０の（ａ）に示すように断面弧状の凹部１７からなる支承部としても、あるいは、図１０の（ｂ）に示すように筒状の凹部１８からなる支承部としても、あるいは、図１０の（ｃ）に示すように、所定の円周上に配置された３個以上の保持突起１９‥からなる支承部としてもよい。図１０の（ａ）〜（ｃ）の何れの場合も、第１実施形態と同様に、本体ケース１をユーザが自由に傾動させることや水平方向に回転させることが可能である。
【００１９】
次に、本発明の第２実施形態を説明する。図１１〜図１７は、本発明の第２実施形態による保護カバー付きの液晶プロジェクターに係り、図１１は、液晶プロジェクターと保護カバーの斜視図、図１２は、保護カバーによって液晶プロジェクター（本体ケース）を覆った収納状態における断面図、図１３は、折り畳んだ保護カバーを載置台として該載置台上に液晶プロジェクター（本体ケース）を載置した状態の斜視図、図１４は、折り畳んだ保護カバーを載置台として該載置台上に液晶プロジェクター（本体ケース）を載置した状態の断面図、図１５は、図１４の状態から液晶プロジェクター（本体ケース）の姿勢を調整した際の様子を示す断面図、図１６は、折り畳まない保護カバーを載置台として該載置台上に液晶プロジェクター（本体ケース）を載置した状態の斜視図、図１７は、折り畳まない保護カバーを載置台として該載置台上に液晶プロジェクター（本体ケース）を載置した状態の断面図である。なお、本実施形態の各図において、前記第１実施形態と均等な構成要素には同一符号を付してある。
【００２０】
図１１は、液晶プロジェクターと保護カバーとを分離した状態の斜視図で、本実施形態の本体ケース１の底面の中央には、図１１では示されていないが図１２などに示すように、断面弧状の凹部（被支承部としての断面弧状の凹部）６が形成されている。また、図１１において、３１は保護カバーであり、この保護カバー１１は、水平板３２と側板３３とから構成されている。３４は、側板３３を水平板３２に対して回転可能に保持したヒンジ部、３５は、水平板３２の中央に形成した断面弧状の凸部（支承部としての断面弧状の凸部）である。
【００２１】
本実施形態でも、側板３３は、水平板３２に対して垂直に起立した状態（図１１、１２、１６、１７に示した折り畳まれていない状態）と、水平板３２と平行な状態（図１３〜１５に示した折り畳まれた状態）とを、とり得るようになっている。そして、必要に応じて、上記の２つの状態を維持できるように、ヒンジ部３４には位置決め機構が付設されている。
【００２２】
図１２は、液晶プロジェクターの収納状態を示しており、この状態では、保護カバー３１の側板３３は水平板３２に対して垂直に起立していて、保護カバー３１の側板３３の自由端側の端面が、机上や棚上などの載置面５に当接している。そして、液晶プロジェクターの本体ケース１は、投影レンズ２などを設けた前面と、各種接続部などを設けた背面と、上面とを、保護カバー３１によって覆われている。なお、このとき、保護カバー３１の凸部３５内には、接続用コード４０などの小物が収納可能になっている。
【００２３】
本実施形態においても、保護カバー３１は、側板３３が水平板３２に対して垂直に起立した状態（側板３３が折り畳まれていない状態）と、側板３３が水平板３２と平行な状態（側板３３が折り畳まれた状態）の何れにおいても、本体ケース１を載置するための載置台として用いることができるようになっている。そして、側板３３が折り畳まれた状態では、側板３３の面全体が載置面５に当接するようにして、側板３３の上側に位置する水平板３２の凸部３５の一部に、本体ケース１の底面の凹部６が嵌るように、水平板３２上に本体ケース１を載置する（図１３〜１５）。また、側板３３が折り畳まれていない状態では、側板３３の自由端の端面が載置面５に当接するようにして、水平板３２の凸部３５の一部に、本体ケース１の底面の凹部６が嵌るように、水平板３２上に本体ケース１を載置する（図１６、１７）。
【００２４】
そして、保護カバー３１を載置台とした場合には、側板３３が折り畳まれた状態、折り畳まれていない状態の何れにおいても、保護カバー３１上に載置された本体ケース１は、その底面の凹部６が、保護カバー３１の凸部３５の一部に嵌っているので、本体ケース１をユーザが自由に傾動させることや水平方向に回転させることが可能となっている。したがって、本体ケース１（液晶プロジェクター）の姿勢を、一挙動でユーザの望む姿勢に簡単・容易に調整することが可能となる。また、調整後に手を離せば、凹部６と凸部３５との摩擦係合力により、本体ケース１（液晶プロジェクター）は調整された姿勢を保持する。このように、本実施形態でも、液晶プロジェクターの保護カバーを有効に使用して、本体ケース１を、前後方向や左右方向に傾動、あるいは、前後方向と左右方向を複合させた方向に傾動させることや、水平方向に回転させることを可能にしており、さらに保護カバー３１を折り畳んだ状態でも、折り畳まない状態でも載置台として用いることができるので、液晶プロジェクター全体の高さを調整することも可能となっている。
【００２５】
ここで、上述した第２実施形態では、本体ケース１の被支承部を断面弧状の凹部６とし、保護カバー３１の支承部を断面弧状の凸部３５としたが、保護カバー３１の支承部を断面弧状の凸部３５とした場合には、本体ケース１の被支承部は、図１８の（ａ）に示すように筒状の凹部４１からなる被支承部としても、あるいは、図１８の（ｂ）に示すように、所定の円周上に配置された３個以上の保持突起４２‥からなる被支承部としても、あるいは、図１８の（ｃ）に示すように円形の透穴４３からなる被支承部としてもよい。図１８の（ａ）〜（ｃ）の何れの場合も、第２実施形態と同様に、本体ケース１をユーザが自由に傾動させることや水平方向に回転させることが可能である。
【００２６】
次に、本発明の第３実施形態を説明する。図１９、図２０は、本発明の第３実施形態による保護カバー付きの液晶プロジェクターに係り、図１９は、保護カバーによって液晶プロジェクター（本体ケース）を覆った収納状態における液晶プロジェクターと保護カバーの分解斜視図、図２０は、保護カバーを載置台として該載置台上に液晶プロジェクター（本体ケース）を載置した際の分解斜視図である。なお、本実施形態の各図においても、前記第１、第２実施形態と均等な構成要素には同一符号を付してある。
【００２７】
本実施形態の本体ケース１は、前記第２実施形態と同様のものとなっており、本体ケース１の底面の中央には断面弧状の凹部が形成されている。本実施形態では、保護カバーは、前面保護カバー５１と背面保護カバー５２の２ピースからなっており、収納時には、前面保護カバー５１は本体ケース１の前面を覆い、背面保護カバー５２は本体ケースの背面を覆って、本体ケース１は縦置きにして収納されるようになっている。なお、前面保護カバー５１には、支承部としての断面弧状の凸部５３が形成してある。
【００２８】
前面保護カバー５１と背面保護カバー５２は、組み立て／分離可能になっており、両者を組み合わせて載置台として使用する際には、背面保護カバー５２のスリット５４に前面保護カバー５１の一部を嵌め合わせて、両者５１、５２を十字形に組み合わせて、本体ケース１の載置台とする。そして、この載置台の断面弧状の凸部５３に、本体ケース１の底面の凹部が嵌るように、載置台上に本体ケース１を載置する。
【００２９】
かような構成をとる本実施形態においても、第１、第２実施形態と同様に、本体ケース１をユーザが自由に傾動させることや水平方向に回転させることが可能である。
【００３０】
【発明の効果】
以上のように本発明によれば、液晶プロジェクターなどのプロジェクターの必要部分を覆う保護カバーを利用して、プロジェクターの画像投射時の姿勢を、簡単・容易に調整可能とすることが可能となり、ユーザの使い勝手が大いに向上する。また、これを達成するための構成も、極めて簡素で実現容易なものとすることができる。
【図面の簡単な説明】
【図１】本発明の第１実施形態に係る保護カバー付きの液晶プロジェクターにおける、液晶プロジェクターと保護カバーの斜視図である。
【図２】本発明の第１実施形態に係る保護カバー付きの液晶プロジェクターにおいて、保護カバーによって液晶プロジェクター（本体ケース）を覆った収納状態における断面図である。
【図３】本発明の第１実施形態に係る保護カバー付きの液晶プロジェクターにおいて、折り畳んだ保護カバーを載置台として該載置台上に液晶プロジェクター（本体ケース）を載置した状態の斜視図である。
【図４】本発明の第１実施形態に係る保護カバー付きの液晶プロジェクターにおいて、折り畳んだ保護カバーを載置台として該載置台上に液晶プロジェクター（本体ケース）を載置した状態の断面図である。
【図５】図４の状態から液晶プロジェクター（本体ケース）の姿勢を調整した際の様子を示す断面図である。
【図６】本発明の第１実施形態に係る保護カバー付きの液晶プロジェクターにおいて、折り畳まない保護カバーを載置台として該載置台上に液晶プロジェクター（本体ケース）を載置した状態の斜視図である。
【図７】本発明の第１実施形態に係る保護カバー付きの液晶プロジェクターにおいて、折り畳まない保護カバーを載置台として該載置台上に液晶プロジェクター（本体ケース）を載置した状態の断面図である。
【図８】本発明の第１実施形態に係る保護カバー付きの液晶プロジェクターにおける、液晶プロジェクターの内部構成を示す断面図である。
【図９】本発明の第１実施形態に係る保護カバー付きの液晶プロジェクターにおける、液晶プロジェクターの内部構成の概要を示す上面から見た説明図である。
【図１０】本発明の第１実施形態の変形例に係る保護カバーの支承部を示す説明図である。
【図１１】本発明の第２実施形態に係る保護カバー付きの液晶プロジェクターにおける、液晶プロジェクターと保護カバーの斜視図である。
【図１２】本発明の第２実施形態に係る保護カバー付きの液晶プロジェクターにおいて、保護カバーによって液晶プロジェクター（本体ケース）を覆った収納状態における断面図である。
【図１３】本発明の第２実施形態に係る保護カバー付きの液晶プロジェクターにおいて、折り畳んだ保護カバーを載置台として該載置台上に液晶プロジェクター（本体ケース）を載置した状態の斜視図である。
【図１４】本発明の第２実施形態に係る保護カバー付きの液晶プロジェクターにおいて、折り畳んだ保護カバーを載置台として該載置台上に液晶プロジェクター（本体ケース）を載置した状態の断面図である。
【図１５】図１４の状態から液晶プロジェクター（本体ケース）の姿勢を調整した際の様子を示す断面図である。
【図１６】本発明の第２実施形態に係る保護カバー付きの液晶プロジェクターにおいて、折り畳まない保護カバーを載置台として該載置台上に液晶プロジェクター（本体ケース）を載置した状態の斜視図である。
【図１７】本発明の第２実施形態に係る保護カバー付きの液晶プロジェクターにおいて、折り畳まない保護カバーを載置台として該載置台上に液晶プロジェクター（本体ケース）を載置した状態の断面図である。
【図１８】本発明の第２実施形態の変形例に係る本体ケースの被支承部を示す説明図である。
【図１９】本発明の第３実施形態に係る保護カバー付きの液晶プロジェクターにおいて、保護カバーによって液晶プロジェクター（本体ケース）を覆った収納状態における液晶プロジェクターと保護カバーの分解斜視図である。
【図２０】本発明の第３実施形態に係る保護カバー付きの液晶プロジェクターにおいて、保護カバーを載置台として該載置台上に液晶プロジェクター（本体ケース）を載置した際の分解斜視図である。
【図２１】従来技術における液晶プロジェクターの姿勢調整の様子を示す説明図である。
【符号の説明】
１　液晶プロジェクターの本体ケース
２　投影レンズ
３　通気穴
４　断面弧状の凸部
５　載置面
６　断面弧状の凹部
１１、３１　保護カバー
１２、３２　水平板
１３、３３　側板
１４、３４　ヒンジ部
１５　円形の透穴
１６　脚部
１７　断面弧状の凹部
１８　筒状の凹部
１９　保持突起
２６〜２９　冷却ファン
４０　接続用コード
４１　筒状の凹部
４２　保持突起
４３　円形の透穴
５１　前面保護カバー
５２　背面保護カバー
５３　断面弧状の凸部
５４　スリット
【図１】
2004109359.tif 000003
【図２】
2004109359.tif 000004
【図３】
2004109359.tif 000005
【図４】
2004109359.tif 000006
【図５】
2004109359.tif 000007
【図６】
2004109359.tif 000008
【図７】
2004109359.tif 000009
【図８】
2004109359.tif 000010
【図９】
2004109359.tif 000011
【図１０】
2004109359.tif 000012
【図１１】
2004109359.tif 000013
【図１２】
2004109359.tif 000014
【図１３】
2004109359.tif 000015
【図１４】
2004109359.tif 000016
【図１５】
2004109359.tif 000017
【図１６】
2004109359.tif 000018
【図１７】
2004109359.tif 000019
【図１８】
2004109359.tif 000020
【図１９】
2004109359.tif 000021
【図２０】
2004109359.tif 000022
【図２１】
2004109359.tif 000023